(57)【特許請求の範囲】
【請求項１】
利用者の位置を示す位置情報を取得する取得部と、
所定の決済手段を用いた決済であって、所定の閾値以上の金額の送金に関する決済を検知する検知部と、
前記取得部により取得された位置情報に基づいて、前記検知部により検知された決済を行った利用者との位置関係が所定の条件を満たす利用者群を特定する特定部と、
前記特定部により特定された利用者群に含まれる各利用者に対し、所定の送金額の一部に該当する額の送金であって、前記決済を行った利用者に対する送金に関する送金情報を提供する提供部と
を有することを特徴とする提供装置。
【請求項２】
前記特定部は、
前記決済が行われた際に前記決済を行った利用者の位置から所定の範囲内に所在する前記利用者群を特定する
ことを特徴とする請求項１に記載の提供装置。
【請求項３】
前記特定部は、
前記位置情報の履歴に基づいて、前記決済が行われた時点より前の所定の期間において前記決済を行った利用者との位置関係が所定の条件を満たす前記利用者群を特定する
ことを特徴とする請求項１に記載の提供装置。
【請求項４】
前記特定部は、
前記所定の期間において前記決済を行った利用者の位置から所定の範囲内に所定時間以上所在した前記利用者群を特定する
ことを特徴とする請求項３に記載の提供装置。
【請求項５】
前記提供部は、
前記金額の一部に該当する額の送金に関する前記送金情報を前記利用者群に含まれる各利用者に提供する
ことを特徴とする請求項１から４のうちいずれか一つに記載の提供装置。
【請求項６】
前記検知部は、
決済対象に応じた閾値以上の金額の送金に関する前記決済を検知する
ことを特徴とする請求項１から５のうちいずれか一つに記載の提供装置。
【請求項７】
前記検知部は、
決済対象に応じた時間帯において行われる前記決済を検知する
ことを特徴とする請求項１から６のうちいずれか一つに記載の提供装置。
【請求項８】
利用者の位置を示す位置情報と、所定の対象の予約に関する予約情報とを取得する取得部と、
前記取得部により取得された位置情報の履歴に基づいて、前記予約を行った利用者と、前記予約情報が示す予約時間より後の所定の期間において当該利用者との位置関係が所定の条件を満たす利用者とを含む利用者群を特定する特定部と、
前記特定部により特定された利用者群に含まれる各利用者に対し、所定の送金額の一部に該当する額の送金に関する送金情報を提供する提供部と
を有することを特徴とする提供装置。
【請求項９】
前記特定部は、
前記予約を行った利用者と、前記所定の期間において当該利用者の位置から所定の範囲内に所定時間以上所在した利用者とを含む前記利用者群を特定する
ことを特徴とする請求項８に記載の提供装置。
【請求項１０】
前記特定部は、
前記予約を行った利用者と、前記所定の期間が経過した際に当該利用者の位置から所定の範囲内に所在する利用者とを含む前記利用者群を特定する
ことを特徴とする請求項８に記載の提供装置。
【請求項１１】
前記提供部は、
前記所定の期間が経過したタイミングで前記利用者群に含まれる各利用者に対し前記送金情報を提供する
ことを特徴とする請求項８から１０のいずれか一つに記載の提供装置。
【請求項１２】
利用者の位置を示す位置情報を取得する取得部と、
前記取得部により取得された位置情報の履歴に基づいて、所定の施設内において所定の範囲内に所定時間以上所在した利用者群を特定する特定部と、
前記特定部により特定された利用者群に含まれる各利用者に対し、所定の送金額の一部に該当する額の送金に関する送金情報を提供する提供部と
を有することを特徴とする提供装置。
【請求項１３】
前記提供部は、
前記利用者群が前記施設を訪問した時点から所定の期間が経過したタイミングで前記利用者群に含まれる各利用者に対し前記送金情報を提供する
ことを特徴とする請求項１２に記載の提供装置。
【請求項１４】
利用者の位置を示す位置情報と、所定の施設で使用される端末装置に対する操作に関する操作情報とを取得する取得部と、
前記取得部により取得された位置情報に基づいて、前記操作情報に対応する前記施設内の位置に所在する利用者群を特定する特定部と、
前記特定部により特定された利用者群に含まれる各利用者に対し、所定の送金額の一部に該当する額の送金に関する送金情報を提供する提供部と
を有することを特徴とする提供装置。
【請求項１５】
前記提供部は、
前記利用者群に所定の役務を提供する提供元に対する送金に関する前記送金情報を提供する
ことを特徴とする請求項８から１４のいずれか一つに記載の提供装置。
【請求項１６】
前記提供部は、
前記利用者群に含まれる利用者であって、前記利用者群に所定の役務を提供する提供元に対する支払いを代行する利用者に対する送金に関する前記送金情報を提供する
ことを特徴とする請求項８から１４のいずれか一つに記載の提供装置。
【請求項１７】
前記提供部は、
前記利用者群に含まれる各利用者の属性に応じた額の送金に関する前記送金情報を提供する
ことを特徴とする請求項１から１６のいずれか一つに記載の提供装置。
【請求項１８】
コンピュータが実行する提供方法であって、
利用者の位置を示す位置情報を取得する取得工程と、
所定の決済手段を用いた決済であって、所定の閾値以上の金額の送金に関する決済を検知する検知工程と、
前記取得工程により取得された位置情報に基づいて、前記検知工程により検知された決済を行った利用者との位置関係が所定の条件を満たす利用者群を特定する特定工程と、
前記特定工程により特定された利用者群に含まれる各利用者に対し、所定の送金額の一工程に該当する額の送金であって、前記決済を行った利用者に対する送金に関する送金情報を提供する提供工程と
を含むことを特徴とする提供方法。
【請求項１９】
利用者の位置を示す位置情報を取得する取得手順と、
所定の決済手段を用いた決済であって、所定の閾値以上の金額の送金に関する決済を検知する検知手順と、
前記取得手順により取得された位置情報に基づいて、前記検知手順により検知された決済を行った利用者との位置関係が所定の条件を満たす利用者群を特定する特定手順と、
前記特定手順により特定された利用者群に含まれる各利用者に対し、所定の送金額の一手順に該当する額の送金であって、前記決済を行った利用者に対する送金に関する送金情報を提供する提供手順と
をコンピュータに実行させるための提供プログラム。
【請求項２０】
コンピュータが実行する提供方法であって、
利用者の位置を示す位置情報と、所定の対象の予約に関する予約情報とを取得する取得工程と、
前記取得工程により取得された位置情報の履歴に基づいて、前記予約を行った利用者と、前記予約情報が示す予約時間より後の所定の期間において当該利用者との位置関係が所定の条件を満たす利用者とを含む利用者群を特定する特定工程と、
前記特定工程により特定された利用者群に含まれる各利用者に対し、所定の送金額の一部に該当する額の送金に関する送金情報を提供する提供工程と
を含むことを特徴とする提供方法。
【請求項２１】
利用者の位置を示す位置情報と、所定の対象の予約に関する予約情報とを取得する取得手順と、
前記取得手順により取得された位置情報の履歴に基づいて、前記予約を行った利用者と、前記予約情報が示す予約時間より後の所定の期間において当該利用者との位置関係が所定の条件を満たす利用者とを含む利用者群を特定する特定手順と、
前記特定手順により特定された利用者群に含まれる各利用者に対し、所定の送金額の一部に該当する額の送金に関する送金情報を提供する提供手順と
をコンピュータに実行させるための提供プログラム。
【請求項２２】
コンピュータが実行する提供方法であって、
利用者の位置を示す位置情報を取得する取得工程と、
前記取得工程により取得された位置情報の履歴に基づいて、所定の施設内において所定の範囲内に所定時間以上所在した利用者群を特定する特定工程と、
前記特定工程により特定された利用者群に含まれる各利用者に対し、所定の送金額の一部に該当する額の送金に関する送金情報を提供する提供工程と
を含むことを特徴とする提供方法。
【請求項２３】
利用者の位置を示す位置情報を取得する取得手順と、
前記取得手順により取得された位置情報の履歴に基づいて、所定の施設内において所定の範囲内に所定時間以上所在した利用者群を特定する特定手順と、
前記特定手順により特定された利用者群に含まれる各利用者に対し、所定の送金額の一部に該当する額の送金に関する送金情報を提供する提供手順と
をコンピュータに実行させるための提供プログラム。
【請求項２４】
コンピュータが実行する提供方法であって、
利用者の位置を示す位置情報と、所定の施設で使用される端末装置に対する操作に関する操作情報とを取得する取得工程と、
前記取得工程により取得された位置情報に基づいて、前記操作情報に対応する前記施設内の位置に所在する利用者群を特定する特定工程と、
前記特定工程により特定された利用者群に含まれる各利用者に対し、所定の送金額の一部に該当する額の送金に関する送金情報を提供する提供工程と
を含むことを特徴とする提供方法。
【請求項２５】
利用者の位置を示す位置情報と、所定の施設で使用される端末装置に対する操作に関する操作情報とを取得する取得手順と、
前記取得手順により取得された位置情報に基づいて、前記操作情報に対応する前記施設内の位置に所在する利用者群を特定する特定手順と、
前記特定手順により特定された利用者群に含まれる各利用者に対し、所定の送金額の一部に該当する額の送金に関する送金情報を提供する提供手順と
をコンピュータに実行させるための提供プログラム。
【発明の詳細な説明】
【技術分野】
【０００１】
本発明は、提供装置、提供方法及び提供プログラムに関する。
【背景技術】
【０００２】
従来、利用者の決済や送金を支援するサービスを提供する技術が知られている。このような技術の一例として、ユーザが割り勘払いで料金を支払う場合、店舗内に点在する顧客テーブルのうち決済処理の対象となる顧客テーブルを識別し、当該顧客テーブルの決済額と、当該顧客テーブルに着席している各ユーザの夫々の決済額とを決定する技術が知られている。
【先行技術文献】
【特許文献】
【０００３】
【特許文献１】特開２０１９−１３３７１２号公報
【発明の概要】
【発明が解決しようとする課題】
【０００４】
しかしながら、上述した技術では、利用者にとって利便性が高いとは言えない場合がある。
【０００５】
例えば、上述した技術では、ユーザが割り勘払いを行う際、顧客テーブルに配置されたＮＦＣ（Near  Field  Communication）タグに各ユーザ端末を接触させ、顧客テーブルの識別情報を各ユーザ端末が読み取る手順を要するため、利用者にとって利便性が高いとは言えない場合がある。
【０００６】
本願は、上記に鑑みてなされたものであって、送金処理における利用者の利便性を向上させることを目的とする。
【課題を解決するための手段】
【０００７】
本願に係る提供装置は、利用者の位置を示す位置情報を取得する取得部と、前記取得部により取得された位置情報に基づいて、位置関係が所定の条件を満たす利用者群を特定する特定部と、前記特定部により特定された利用者群に含まれる各利用者に対し、所定の送金額の一部に該当する額の送金に関する送金情報を提供する提供部とを有することを特徴とする。
【発明の効果】
【０００８】
実施形態の一態様によれば、送金処理における利用者の利便性を向上させることができるという効果を奏する。
【図面の簡単な説明】
【０００９】
【図１】図１は、実施形態に係る提供処理の一例を示す図である。
【図２】図２は、実施形態に係る情報提供装置の構成例を示す図である。
【図３】図３は、実施形態に係る利用者データベースの一例を示す図である。
【図４】図４は、実施形態に係る店舗データベースの一例を示す図である。
【図５】図５は、実施形態に係る提供処理の手順の一例を示すフローチャートである。
【図６】図６は、情報提供装置の機能を実現するコンピュータの一例を示すハードウェア構成図である。
【発明を実施するための形態】
【００１０】
以下に、本願に係る提供装置、提供方法及び提供プログラムを実施するための形態（以下、「実施形態」と記載する。）について図面を参照しつつ詳細に説明する。なお、この実施形態により本願に係る提供装置、提供方法及び提供プログラムが限定されるものではない。また、以下の各実施形態において同一の部位には同一の符号を付し、重複する説明は省略する。
【００１１】
〔１．実施形態〕
図１を用いて、本実施形態の提供装置等により実現される提供処理を説明する。図１は、実施形態に係る提供処理の一例を示す図である。なお、図１では、本実施形態に係る提供装置の一例である情報提供装置１０によって、実施形態に係る提供処理などが実現されるものとする。
【００１２】
図１に示すように、実施形態に係る情報提供システム１は、情報提供装置１０と、端末装置１００と、決済サーバ２００とを含む。情報提供装置１０、端末装置１００及び決済サーバ２００は、ネットワークＮ（例えば、図２参照）を介して有線または無線により相互に通信可能に接続される。ネットワークＮは、例えば、インターネットなどのＷＡＮ（Wide  Area  Network）である。なお、図１に示した情報提供システム１には、複数台の情報提供装置１０、複数台の端末装置１００及び複数台の決済サーバ２００が含まれていてもよい。
【００１３】
図１に示す情報提供装置１０は、提供処理を行う情報処理装置であり、例えば、サーバ装置やクラウドシステム等により実現される。例えば、情報提供装置１０は、決済を実現するための各種処理を実行する決済サーバ２００から、端末装置１００を用いた決済に関する情報を取得する。また、情報提供装置１０は、端末装置１００から、利用者の位置を示す情報を取得する。そして、情報提供装置１０は、取得した情報に応じた情報を端末装置１００に提供する。
【００１４】
図１に示す端末装置１００は、利用者によって利用される情報処理装置である。端末装置１００は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。また、端末装置１００は、情報提供装置１０や決済サーバ２００によって配信される情報を、ウェブブラウザやアプリケーションにより表示する。なお、図１に示す例では、端末装置１００がスマートフォンである場合を示す。
【００１５】
図１に示す決済サーバ２００は、端末装置１００を用いる電子決済に関する電子決済サービスを提供し、各種の決済を行う情報処理装置であり、例えば、サーバ装置やクラウドシステムにより実現される。例えば、決済サーバ２００は、取引対象の販売者や購入者の口座を管理しており、利用者からの決済要求に従って、口座間における電子マネーの送金等を行うことで、各種決済を実現する。なお、電子マネーとは、例えば、各種企業が独自に用いるポイントや通貨等であってもよく、日本円やドル等の国家により提供される貨幣を電子的に取引可能としたものであってもよい。
【００１６】
ここで、情報提供装置１０が実行する提供処理に先立ち、端末装置１００を用いた決済の一例について説明する。なお、以下の説明では、店舗ＳＨ１に配置された２次元コードであって、店舗ＳＨ１を識別する識別情報ＱＲ１を用いて、利用者Ｕ１が端末装置１００を用いた決済を行う例について説明するが、実施形態は、これに限定されるものではない。以下に説明する決済の一例は、任意の利用者Ｕ１が任意の端末装置１００を用いて、任意の店舗にて決済を行う場合においても適用可能である。また、識別情報ＱＲ１は、ＱＲコード（登録商標）のみならず、バーコードや所定のマーク、番号等であってもよい。
【００１７】
例えば、利用者Ｕ１が店舗ＳＨ１にて各種の商品やサービスといった決済対象の利用や購入に伴う決済を行う場合、利用者Ｕ１は、端末装置１００に予めインストールされた決済用のアプリケーションを起動する。そして、利用者Ｕ１は、アプリケーションを介して、店舗ＳＨ１に設置された識別情報ＱＲ１を撮影する。このような場合、端末装置１００は、決済対象の価格を入力するための画面を表示し、利用者Ｕ１或いは店舗ＳＨ１の店員から決済額の入力を受付ける。そして、端末装置１００は、利用者Ｕ１を識別する利用者情報と、識別情報ＱＲ１（若しくは、識別情報ＱＲ１が示す情報、すなわち、店舗ＳＨ１を示す情報）と、決済額とを示す決済情報を決済サーバ２００へと送信する。
【００１８】
このような場合、決済サーバ２００は、利用者情報が示す利用者Ｕ１の口座から、識別情報ＱＲ１が示す店舗の口座へと、決済額が示す額の電子マネーを移行させる。そして、決済サーバ２００は、決済が完了した旨の通知を端末装置１００へと送信する。このような場合、端末装置１００は、決済が完了した旨の画面や所定の音声を出力することで、電子マネーによる決済が行われた旨を通知する。
【００１９】
なお、端末装置１００を用いた決済は、上述した処理に限定されるものではない。例えば、端末装置１００を用いた決済は、店舗ＳＨ１に設置された店舗端末を用いたものであってもよい。例えば、端末装置１００は、利用者Ｕ１を識別するための識別情報ＱＲを画面上に表示させる。このような場合、店舗ＳＨ１に設置された店舗端末は、端末装置１００に表示された識別情報ＱＲを読み取り、識別情報ＱＲと、決済額と、店舗ＳＨ１を識別する情報とを示す決済情報を決済サーバ２００へと送信する。このような場合、決済サーバ２００は、識別情報ＱＲが示す利用者Ｕ１の口座から、店舗ＳＨ１の口座へと、決済額が示す額の電子マネーを移行させ、店舗ＳＨ１の店舗端末あるいは端末装置１００に対し、決済が完了した旨の画面や所定の音声を出力させることで、決済が行われた旨を通知してもよい。
【００２０】
また、端末装置１００を用いた決済は、利用者Ｕ１が予め電子マネーをチャージした口座から店舗ＳＨ１の口座へと電子マネーを移行させる処理のみならず、例えば、利用者Ｕ１が予め登録したクレジットカードを用いた決済であってもよい。このような場合、例えば、決済サーバ２００は、店舗ＳＨ１の口座に対して決済額の電子マネーを送金するとともに、利用者Ｕ１のクレジットカードの運用会社に対し、決済額を請求してもよい。
【００２１】
また、端末装置１００を用いた決済は、利用者Ｕ１の口座から店舗ＳＨ１の口座へと電子マネーを移行させる処理のみならず、例えば、他の利用者の口座から利用者Ｕ１の口座へと電子マネーを移行（送金）させる決済であってもよい。このような場合、例えば、送金元の利用者が利用する端末装置は、送金先の利用者Ｕ１を識別するための識別情報ＱＲ（例えば、端末装置１００に表示される識別情報ＱＲ）を読み取り、送金元の利用者から送金額の入力を受け付け、識別情報ＱＲと、送金額と、送金元の利用者を識別する情報とを示す決済情報を決済サーバ２００へと送信する。このような場合、決済サーバ２００は、送金元の利用者の口座から、利用者Ｕ１の口座へと、送金額が示す額の電子マネーを移行させ、送金元の利用者が利用する端末装置あるいは端末装置１００に対し、決済が完了した旨の画面や所定の音声を出力させることで、決済が行われた旨を通知してもよい。
【００２２】
ここで、従来、利用者の決済や送金を支援するサービスが提供されている。しかしながら、従来のサービスでは、利用者が利用する端末装置に対し特殊な操作を行う必要があり、利便性が高いとは言えない場合がある。
【００２３】
そこで、情報提供装置１０は、実施形態に係る提供処理を実行する。以下、図１を用いて、情報提供装置１０が実行する提供処理について説明する。なお、以下の説明では、端末装置１００を利用する利用者に応じて、端末装置１００を端末装置１００−１〜１００−Ｎ（Ｎは任意の自然数）として説明する。例えば、端末装置１００−１は、利用者ＩＤ「Ｕ１」により識別される利用者（利用者Ｕ１）により使用される端末装置１００である。また、以下では、端末装置１００−１〜１００−Ｎについて、特に区別なく説明する場合には、端末装置１００と記載する。また、以下の説明では、端末装置１００を利用者と同一視する場合がある。すなわち、以下では、利用者を端末装置１００と読み替えることもできる。
【００２４】
まず、情報提供装置１０は、利用者の位置情報を示す位置情報を取得する（ステップＳ１）。例えば、情報提供装置１０は、端末装置１００が有する各種センサ（例えば、ＧＰＳ（Global  Positioning  System）機能や、モーションセンサなど）が検知した情報を、利用者の位置を示す位置情報として所定期間ごとに端末装置１００から取得する。
【００２５】
続いて、各利用者は、各種の対象に対する決済を行う。例えば、店舗ＳＨ１（店舗種別「飲食店」）に来店した利用者Ｕ１は、上述したＱＲコード等を用いた決済手法により、店舗ＳＨ１からの役務の提供により発生した料金の決済を店舗ＳＨ１に対して行う（ステップＳ２）。なお、図１の例において、利用者Ｕ１は、利用者Ｕ２〜Ｕ４と共に店舗ＳＨ１に来店し、店舗ＳＨ１内に配置された複数のテーブルのうちの１つであるテーブルＴ１に着席して役務の提供を受けたものとする。また、利用者Ｕ１は、利用者Ｕ２〜Ｕ４の決済を代行し、店舗ＳＨ１からの役務の提供により利用者Ｕ１〜Ｕ４それぞれに発生した料金の合計額の決済を行ったものとする。
【００２６】
続いて、情報提供装置１０は、決済サーバ２００から利用者が行った決済に関する決済情報を取得する（ステップＳ３）。例えば、情報提供装置１０は、利用者が決済を行った決済日時や、決済による支払先、決済金額などといった情報を含む決済情報を取得する。
【００２７】
続いて、情報提供装置１０は、取得した決済情報から、決済金額が所定額以上の決済情報を検知する（ステップＳ４）。例えば、情報提供装置１０は、決済情報のうち、支払先における平均客単価よりも所定の閾値以上高い決済金額（例えば、平均客単価の倍以上の決済金額）を示す決済情報を検知する。言い換えると、情報提供装置１０は、他の利用者の支払いを代行したと推定される利用者の決済情報を検知する。なお、図１の例において、情報提供装置１０は、店舗ＳＨ１に対して利用者Ｕ１が行った決済に関する決済情報を検知したものとする。
【００２８】
続いて、情報提供装置１０は、位置情報に基づいて、検知した決済情報が示す決済を行った利用者との位置関係が所定の条件を満たす利用者群を特定する（ステップＳ５）。例えば、情報提供装置１０は、利用者Ｕ１が店舗ＳＨ１に対して決済を行った時点より前の所定の期間において、利用者Ｕ１から所定の範囲内に所定時間以上所在した利用者群を特定する。言い換えると、情報提供装置１０は、利用者Ｕ１に同行し、店舗ＳＨ１において利用者Ｕ１と共に役務の提供を受けたと推定される利用者群を特定する。具体的な例を挙げると、店舗ＳＨ１の店舗種別「飲食店」に応じた期間（例えば、１時間、２時間）において、利用者Ｕ１から所定の範囲（例えば、１メートル、３メートルなどといった、飲食店で用いられる一般的なサイズのテーブルに着席した場合の利用者間の距離）内に店舗種別「飲食店」に応じた時間（例えば、３０分、１時間）以上所在した利用者群を特定する。なお、図１の例において、情報提供装置１０は、利用者Ｕ１と共にテーブルＴ１に着席して役務の提供を受けた利用者Ｕ２〜Ｕ４を、利用者Ｕ１との位置関係が所定の条件を満たす利用者群として特定したものとする。
【００２９】
続いて、情報提供装置１０は、特定した利用者群に対し、決済を行った利用者への送金額に関する送金情報を提供する（ステップＳ６）。例えば、情報提供装置１０は、利用者Ｕ１への送金であって、利用者Ｕ１が決済した決済金額のうち利用者Ｕ２〜Ｕ４それぞれが負担する金額の送金を提案する送金情報を、利用者Ｕ２〜Ｕ４に提供する。具体的な例を挙げると、情報提供装置１０は、利用者Ｕ１の決済金額を利用者Ｕ１〜Ｕ４で均等に分割した額（言い換えると、店舗ＳＨ１からの役務提供に伴い発生した料金を割り勘で支払う場合に利用者Ｕ１〜Ｕ４それぞれが負担する額）の送金を電子決済サービスにて行うことを提案する送金情報を利用者Ｕ２〜Ｕ４に提供する。そして、端末装置１００−２〜１００−４は、情報提供装置１０から提供された送金情報に関するコンテンツ（例えば、プッシュ通知）を画面に表示する。
【００３０】
続いて、利用者Ｕ２〜Ｕ４は、提供された送金情報に応じて各種の行動をとる。例えば、利用者Ｕ２〜Ｕ４は、決済を行った利用者Ｕ１に対し、送金情報が示す金額の送金処理を、電子決済サービスを利用して行う（ステップＳ７）。具体的な例を挙げると、利用者Ｕ２により、端末装置１００−２が画面に表示した送金情報に関するコンテンツに対する選択操作が行われた場合、端末装置１００−２は、端末装置１００−２に予めインストールされた決済用のアプリケーションを、利用者Ｕ１を識別する情報と、送金情報が示す金額とが入力された状態で起動する。ここで、利用者Ｕ２により、利用者Ｕ１への送金を承認する操作が行われた場合、端末装置１００−２は、利用者Ｕ１及び利用者Ｕ２を識別する情報と、利用者Ｕ１に対する送金額とを示す決済情報を決済サーバ２００へ送信する。そして、決済サーバ２００は、利用者Ｕ２の口座から利用者Ｕ１の口座へと、送金額が示す額の電子マネーを移行させる。
【００３１】
以上のように、実施形態に係る情報提供装置１０は、他の利用者の支払いを代行したと推定される利用者の決済情報を検知し、当該利用者の周囲に所在した利用者群に対し、当該利用者への送金に関する送金情報を提供する。これにより、実施形態に係る情報提供装置１０は、他の利用者の決済を代行した利用者が、現金の集金や、電子決済サービス上での他の利用者に対する送金要求の送信、ネットワーク上での送金の呼びかけなどといった能動的な行動を行うことなく、他の利用者からの送金を受けることができる。すなわち、実施形態に係る情報提供装置１０は、送金処理における利用者の利便性を向上させることができる。
【００３２】
〔２．情報提供装置の構成〕
次に、図２を用いて、情報提供装置１０の構成について説明する。図２は、実施形態に係る情報提供装置の構成例を示す図である。図２に示すように、情報提供装置１０は、通信部２０と、記憶部３０と、制御部４０とを有する。
【００３３】
（通信部２０について）
通信部２０は、例えば、ＮＩＣ（Network  Interface  Card）等によって実現される。そして、通信部２０は、ネットワークＮと有線または無線で接続され、端末装置１００、決済サーバ２００等との間で情報の送受信を行う。
【００３４】
（記憶部３０について）
記憶部３０は、例えば、ＲＡＭ（Random  Access  Memory）、フラッシュメモリ（Flash  Memory）等の半導体メモリ素子、または、ハードディスク、光ディスク等の記憶装置によって実現される。図２に示すように、記憶部３０は、利用者データベース３１と、店舗データベース３２とを有する。
【００３５】
（利用者データベース３１について）
利用者データベース３１は、利用者に関する各種の情報を記憶する。ここで、図３を用いて、利用者データベース３１が記憶する情報の一例を説明する。図３は、実施形態に係る利用者データベースの一例を示す図である。図３の例において、利用者データベース３１は、「利用者ＩＤ」、「決済情報」、「位置情報」、「予約情報」といった項目を有する。
【００３６】
「利用者ＩＤ」は、利用者を識別するための識別情報を示す。「決済情報」は、決済サーバ２００が提供する電子決済サービスにおける利用者の情報を示し、例えば、「決済ＩＤ」、「決済日時」、「支払先」、「決済金額」といった項目を有する。「決済ＩＤ」は、電子決済を用いた決済を識別するための識別情報を示す。「決済日時」は、電子決済を行った日時を示す。「支払先」は、電子決済による支払先を示す。「決済金額」は、電子決済による決済金額を示す。
【００３７】
「位置情報」は、利用者の位置に関する情報を示し、例えば、「位置」、「日時」といった項目を有する。「位置」は、利用者の位置を示し、例えば、経緯度などが格納される。「日時」は、「位置」の項目に格納された情報が示す位置に利用者が所在した日時を示す。
【００３８】
「予約情報」は、利用者が施設の予約サービス等において行った予約に関する情報を示し、例えば、「施設」、「予約日時」といった項目を有する。「施設」は、利用者が予約した施設を示す。「予約日時」は、施設の予約日時を示す。
【００３９】
すなわち、図３では、利用者ＩＤ「ＵＩＤ＃１」によって識別される利用者が、決済ＩＤ「ＰＩＤ＃１」によって識別され、支払先「ＳＩＤ＃１」、決済金額「２００００円」である決済を決済日時「決済日時＃１」に行い、日時「日時＃１」に位置「位置＃１」に所在し、予約日時を「予約日時＃１」として施設「ＳＩＤ＃２」の予約を行ったことを示す。
【００４０】
（店舗データベース３２について）
店舗データベース３２は、店舗に関する各種の情報を記憶する。ここで、図４を用いて、店舗データベース３２が記憶する情報の一例を説明する。図４は、実施形態に係る店舗データベースの一例を示す図である。図４の例において、店舗データベース３２は、「店舗ＩＤ」、「店舗情報」、「店舗種別」、「店舗名称」、「所在地」、「平均客単価」などといった項目を有する。
【００４１】
「店舗ＩＤ」は、店舗を識別するための識別情報を示す。「店舗情報」は、店舗の利用者の平均滞在時間や、店舗で販売する商品、店舗で提供する役務の内容などの情報を示す。「店舗種別」は、店舗の種別を示す。「店舗名称」は、店舗の名称を示す。「所在地」は、店舗の所在地（例えば、住所）を示す。「平均客単価」は、店舗における平均客単価を示す。
【００４２】
すなわち、図４では、店舗ＩＤ「ＳＩＤ＃１」により識別される店舗の店舗情報が「店舗情報＃１」、店舗種別が「居酒屋」、店舗名称が「店舗＃１」、所在地が「所在地＃１」、平均客単価が「単価＃１」である例を示す。
【００４３】
（制御部４０について）
制御部４０は、コントローラ（controller）であり、例えば、ＣＰＵ（Central  Processing  Unit）やＭＰＵ（Micro  Processing  Unit）等によって、情報提供装置１０内部の記憶装置に記憶されている各種プログラムがＲＡＭを作業領域として実行されることにより実現される。また、制御部４０は、コントローラであり、例えば、ＡＳＩＣ（Application  Specific  Integrated  Circuit）やＦＰＧＡ（Field  Programmable  Gate  Array）等の集積回路により実現される。実施形態に係る制御部４０は、図２に示すように、取得部４１と、検知部４２と、特定部４３と、提供部４４とを有し、以下に説明する情報処理の機能や作用を実現または実行する。
【００４４】
（取得部４１について）
取得部４１は、利用者の位置を示す位置情報を取得する。例えば、図１の例において、取得部４１は、端末装置１００が有する各種センサ（例えば、ＧＰＳ（Global  Positioning  System）機能や、モーションセンサなど）が検知した情報を、利用者の位置を示す位置情報として所定期間ごとに端末装置１００から取得し、利用者データベース３１に格納する。
【００４５】
また、取得部４１は、さらに、所定の対象の予約に関する予約情報を取得してもよい。例えば、端末装置１００や、各種の施設の予約サービスを提供する外部サーバなどから、利用者の予約情報を取得し、利用者データベース３１に格納する。
【００４６】
また、取得部４１は、さらに、所定の施設で使用される端末装置に対する操作に関する操作情報を取得してもよい。例えば、取得部４１は、施設で使用されるＰＯＳ（Point  of  Sales  system）端末や、施設に訪問した利用者がオーダーを行う際に使用する端末装置などから、操作情報を取得する。
【００４７】
なお、取得部４１は、決済サーバ２００から利用者が行った決済に関する決済情報を取得し、利用者データベース３１に格納してもよい。
【００４８】
（検知部４２について）
他の利用者の支払いを代行したと推定される利用者（例えば、幹事役の利用者）の決済金額は、一の利用者が自身の支払いのみを行う場合よりも高くなることが想定される。したがって、検知部４２は、所定の決済手段を用いた決済であって、所定の閾値以上の金額の送金に関する決済を検知する。例えば、検知部４２は、決済サーバ２００が提供する電子決済サービスを利用した利用者の決済のうち、決済金額が所定の閾値上である決済を検知する。
【００４９】
さらに、決済対象（例えば、店舗）に応じた条件を設定し、他の利用者の支払いを代行したと推定される利用者の決済をより正確に検知したいという要望が考えられる。したがって、検知部４２は、決済対象に応じた閾値以上の金額の送金に関する決済を検知してもよい。例えば、図１の例において、検知部４２は、店舗データベース３２を参照し、支払先における平均客単価よりも所定の閾値以上高い決済金額を示す決済（決済情報）を検知する。
【００５０】
また、検知部４２は、決済対象に応じた時間帯において行われる決済を検知してもよい。例えば、検知部４２は、店舗データベース３２を参照し、決済金額が所定の閾値上の決済であって、決済対象（例えば、サービスを提供する施設）が利用者に利用されると推定される時間帯に行われた決済を検知する。具体的な例を挙げると、検知部４２は、決済対象の種別（例えば、店舗種別）が「居酒屋」である場合、夜の時間帯（例えば、１９時〜２時）に当該決済対象を支払先として行われた決済を検知する。また、検知部４２は、決済対象の種別が「レストラン」である場合、昼の時間帯（例えば、１１時〜１４時）若しくは夜の時間帯（例えば、１７時〜２２時）に当該決済対象を支払先として行われた決済を検知する。また、検知部４２は、決済対象の種別が「カーシェアリング」である場合、各時間帯において当該決済対象を支払先として行われた決済を検知する。
【００５１】
（特定部４３について）
複数の利用者が同道して役務の提供元（例えば、店舗）に訪問する場合、言い換えると、幹事役の利用者が役務の提供元に対する支払いを一括して行い、他の利用者が幹事役の利用者に対して自身の負担額を送金する事態が生じ得る場合、当該複数の利用者は隣接することが推定される。したがって、特定部４３は、取得部４１により取得された位置情報に基づいて、位置関係が所定の条件を満たす利用者群を特定する。例えば、特定部４３は、利用者データベース３１を参照し、所定の範囲（例えば、１メートル、３メートル）内に所在する利用者群を特定する。
【００５２】
さらに、幹事役の利用者が役務の提供元に対する支払いを一括して行い、他の利用者が幹事役の利用者に対して自身の負担額を送金する場合、他の利用者は幹事役の利用者の近傍に位置すると推定される。したがって、特定部４３は、検知部４２により検知された決済を行った利用者との位置関係が所定の条件を満たす利用者群を特定してもよい。例えば、図１の例において、特定部４３は、検知部４２により検知された決済を行った利用者Ｕ１との位置関係が所定の条件を満たす利用者群を特定する。
【００５３】
また、特定部４３は、決済が行われた際に決済を行った利用者の位置から所定の範囲内に所在する利用者群を特定してもよい。例えば、特定部４３は、検知部４２により検知された決済が行われた日時において、当該決済を行った利用者から所定の範囲内に所在する利用者群を特定する。
【００５４】
また、特定部４３は、位置情報の履歴に基づいて、決済が行われた時点より前の所定の期間において決済を行った利用者との位置関係が所定の条件を満たす利用者群を特定してもよい。例えば、図１の例において、特定部４３は、利用者Ｕ１が店舗ＳＨ１に対して決済を行った時点より前の所定の期間において、利用者Ｕ１との位置関係が所定の条件を満たす利用者群を特定する。
【００５５】
また、特定部４３は、所定の期間において決済を行った利用者の位置から所定の範囲内に所定時間以上所在した利用者群を特定してもよい。例えば、図１の例において、特定部４３は、店舗ＳＨ１の店舗種別「飲食店」に応じた期間において、利用者Ｕ１から所定の範囲内に店舗種別「飲食店」に応じた時間以上所在した利用者群を特定する。
【００５６】
なお、特定部４３は、位置情報の履歴に基づいて、所定の移動手段の提供（例えば、カーシェアリングサービスによって提供された自動車）に対する決済を行った利用者と同一の移動態様で移動した利用者群を特定してもよい。例えば、特定部４３は、決済が行われた時点より前の所定の期間において、決済を行った利用との位置から所定の範囲内に所定時間以上所在した利用者群であって、当該利用者と所定時間以上同じ速度で移動した利用者群を特定する。
【００５７】
さらに、役務の提供元に対する予約を行った利用者（例えば、飲み会の予約を行った幹事役の利用者）と同道して他の利用者が当該提供元に訪問する場合、予約時間より後の期間において、当該複数の利用者は隣接することが推定される。したがって、特定部４３は、位置情報の履歴に基づいて、予約を行った利用者と、予約情報が示す予約時間より後の所定の期間において当該利用者との位置関係が所定の条件を満たす利用者とを含む利用者群を特定してもよい。例えば、特定部４３は、予約を行った利用者と、予約時間（予約日時）より後の期間（言い換えると、予約対象の施設に訪問し、滞在すると推定される期間）において、当該利用者との位置関係が所定の条件を満たす利用者とを含む利用者群を特定する。
【００５８】
また、特定部４３は、予約を行った利用者と、所定の期間において当該利用者の位置から所定の範囲内に所定時間以上所在した利用者とを含む利用者群を特定してもよい。例えば、特定部４３は、予約を行った利用者と、予約時間より後の期間であって予約対象の施設の種別に応じた期間において、当該種別に応じた時間以上当該利用者から所定の範囲内に所在した利用者とを含む利用者群を特定する。
【００５９】
また、特定部４３は、予約を行った利用者と、所定の期間が経過した際に当該利用者の位置から所定の範囲内に所在する利用者とを含む利用者群を特定してもよい。例えば、特定部４３は、予約を行った利用者と、予約時間（言い換えると、予約対象の施設に訪問する時間）から所定の期間が経過した際に当該利用者から所定の範囲内に所在する利用者とを含む利用者群を特定する。
【００６０】
なお、特定部４３は、位置情報の履歴に基づいて、所定の移動手段（例えば、カーシェアリングサービスによって提供される自動車）に関する予約を行った利用者と同一の移動態様で移動した利用者群を特定してもよい。例えば、特定部４３は、予約時間より後の期間において、予約を行った利用との位置から所定の範囲内に所定時間以上所在した利用者群であって、当該利用者と所定時間以上同じ速度で移動した利用者群を特定する。
【００６１】
さらに、役務の提供元である施設内において隣接する利用者群は、同道して当該提供元に訪問したと推定される。したがって、特定部４３は、位置情報の履歴に基づいて、所定の施設内において所定の範囲内に所定時間以上所在した利用者群を特定してもよい。例えば、特定部４３は、利用者の位置情報に基づいて利用者が訪問した施設を推定し、当該施設内において所定の範囲内に所定時間以上所在した利用者群を特定する。
【００６２】
また、特定部４３は、操作情報に対応する施設内の位置に所在する利用者群を特定してもよい。例えば、特定部４３は、施設において使用されるＰＯＳ端末から取得された操作情報であって、精算処理の対象となった領域（例えば、店舗に設置されたテーブル）を示す操作情報に基づき、当該領域に所在する利用者群を特定する。また、特定部４３は、飲食店等の店舗のテーブルごとに設置され、利用者がオーダーを行う際に使用する端末装置（例えば、タブレット端末）が精算処理を行うための操作を受け付けた際、当該端末装置から所定の範囲内に所在する利用者群を特定する。
【００６３】
（提供部４４について）
提供部４４は、特定部４３により特定された利用者群に含まれる各利用者に対し、所定の送金額の一部に該当する額の送金に関する送金情報を提供する。例えば、図１の例において、提供部４４は、利用者Ｕ２〜Ｕ４それぞれが負担する金額の送金を提案する送金情報を、利用者Ｕ２〜Ｕ４に提供する。
【００６４】
また、提供部４４は、決済を行った利用者に対する送金に関する送金情報を利用者群に含まれる各利用者に提供してもよい。例えば、図１の例において、提供部４４は、店舗ＳＨ１に対する決済を行った利用者Ｕ１への送金を提案する送金情報を、利用者Ｕ２〜Ｕ４に提供する。
【００６５】
また、提供部４４は、金額の一部に該当する額の送金に関する送金情報を利用者群に含まれる各利用者に提供してもよい。例えば、図１の例において、提供部４４は、利用者Ｕ１への送金であって、利用者Ｕ１が決済した決済金額のうち利用者Ｕ２〜Ｕ４それぞれが負担する金額の送金を提案する送金情報を、利用者Ｕ２〜Ｕ４に提供する。
【００６６】
また、提供部４４は、利用者群に含まれる利用者であって、利用者群に所定の役務を提供する提供元に対する支払いを代行する利用者に対する送金に関する送金情報を提供してもよい。例えば、提供部４４は、利用者群に含まれる利用者であって、所定の閾値以上の金額の送金に関する決済を行った利用者に対する送金に関する送金情報を、当該利用者群に提供する。また、提供部４４は、利用者群に含まれる利用者であって、役務の提供元である施設の予約を行った利用者に対する送金に関する送金情報を、当該利用者群に提供する。
【００６７】
ここで、役務の提供元に同道した複数の利用者それぞれが個別に当該提供元に対して支払いを行う場合が想定される。したがって、提供部４４は、利用者群に所定の役務を提供する提供元に対する送金に関する送金情報を提供してもよい。例えば、提供部４４は、予約情報が示す予約対象の施設や、利用者群が所定の範囲内に所定時間以上所在した施設などに対する送金に関する送金情報を、利用者群に含まれる各利用者に対し提供する。
【００６８】
さらに、利用者群が役務の提供元（店舗）に訪問した時点から所定の期間が経過した後に送金情報を提供し、利用者群が支払いを行うきっかけを与えることにより、店舗における回転率を向上させたいといった要望が考えられる。したがって、提供部４４は、所定の期間が経過したタイミングで利用者群に含まれる各利用者に対し送金情報を提供してもよい。例えば、提供部４４は、予約時間から所定の期間が経過したタイミングで利用者群に含まれる各利用者に対し送金情報を提供する。
【００６９】
また、提供部４４は、利用者群が施設を訪問した時点から所定の期間が経過したタイミングで利用者群に含まれる各利用者に対し送金情報を提供してもよい。例えば、提供部４４は、位置情報に基づいて利用者群が施設を訪問した時点を推定し、推定した時点から所定の期間が経過したタイミングで利用者群に含まれる各利用者に対し送金情報を提供する。
【００７０】
さらに、複数の利用者が同道して役務の提供元に訪問し、当該提供元に対する支払いを行う場合、各利用者の属性（例えば、女性、学生）に応じて負担額を変動させたいといった要望が考えられる。したがって、提供部４４は、利用者群に含まれる各利用者の属性に応じた額の送金に関する送金情報を提供してもよい。例えば、提供部４４は、利用者群に所定の役務を提供する提供元に対して支払う金額を、利用者群に含まれる利用者の数で均等に分割した額を算出する。そして、提供部４４は、利用者群に含まれる利用者のうち、所定の属性を有する利用者（例えば、女性、学生）に対し、算出した額のうち所定の割合を減算した減算額の送金に関する送金情報を提供する。また、提供部４４は、利用者群に含まれる利用者のうち、所定の属性を有さない利用者に対し、算出した額に減算額に応じた額を加算した加算額の送金に関する送金情報を提供する。
【００７１】
〔３．提供処理のフロー〕
ここで、図５を用いて、実施形態に係る情報提供装置１０の提供処理の手順について説明する。図５は、実施形態に係る提供処理の手順の一例を示すフローチャートである。
【００７２】
図５に示すように、情報提供装置１０は、利用者の位置を示す位置情報、並びに、利用者が行った決済に関する決済情報を取得する（ステップＳ１０１）。続いて、情報提供装置１０は、利用者の所定額以上の決済を検知したか否かを判定する（ステップＳ１０２）。ここで、所定額以上の決済を検知していない場合（ステップＳ１０２；Ｎｏ）、所定額以上の決済を検知するまで待機する。
【００７３】
一方、所定額以上の決済を検知した場合（ステップＳ１０２；Ｙｅｓ）、情報提供装置１０は、決済を行った利用者との位置関係が所定の条件を満たす利用者群を特定する（ステップＳ１０３）。続いて、情報提供装置１０は、利用者群に含まれる各利用者に対し、決済金額の一部に該当する額の送金に関する送金情報を提供し（ステップＳ１０４）、処理を終了する。
【００７４】
〔４．変形例〕
上述の実施形態は一例を示したものであり、種々の変更及び応用が可能である。
【００７５】
〔４−１．決済対象について〕
上述の実施形態では、提供部４４が、利用者群が訪問した飲食店において発生した料金に関する送金情報を提供する例を示したが、提供部４４の機能はこのような例に限定されない。例えば、提供部４４は、利用者群が同時に役務や商品の提供を受ける場合に発生する各種の料金に関する送金情報を提供してよい。具体的な例を挙げると、提供部４４は、予約人数が複数である旅行若しくは各種イベント（例えば、映画、コンサート）の予約を行った場合や、所定の閾値以上の数の商品の購入を行った場合などにおいて発生する料金に関する送金情報を提供する。
【００７６】
〔４−２．利用者に提供する情報について〕
上述の実施形態では、提供部４４が、利用者群に含まれる各利用者が負担する金額の送金に関する送金情報を提供する例を示したが、提供部４４の機能はこのような例に限定されず、各種の情報を送金情報と共に提供してよい。例えば、提供部４４は、送金情報に基づく送金を行った場合に利用者が享受可能な所定の利益に関する情報（例えば、ポイントの付与や、クーポンの提供、送金額の割引、キャッシュバックなど）を提供する。
【００７７】
〔４−３．処理態様について〕
上記実施形態において説明した各処理のうち、自動的に行われるものとして説明した処理の全部または一部を手動的に行うこともでき、逆に、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【００７８】
また、図示した各装置の各構成要素は機能概念的なものであり、必ずしも物理的に図示の如く構成されることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７９】
また、上記してきた各実施形態は、処理内容を矛盾させない範囲で適宜組み合わせることが可能である。
【００８０】
〔５．効果〕
上述してきたように、実施形態に係る情報提供装置１０は、取得部４１と、検知部４２と、特定部４３と、提供部４４とを有する。取得部４１は、利用者の位置を示す位置情報を取得する。検知部４２は、所定の決済手段を用いた決済であって、所定の閾値以上の金額の送金に関する決済を検知する。特定部４３は、取得部４１により取得された位置情報に基づいて、位置関係が所定の条件を満たす利用者群を特定する。また、特定部４３は、検知部４２により検知された決済を行った利用者との位置関係が所定の条件を満たす利用者群を特定する。提供部４４は、特定部４３により特定された利用者群に含まれる各利用者に対し、所定の送金額の一部に該当する額の送金に関する送金情報を提供する。また、提供部４４は、決済を行った利用者に対する送金に関する送金情報を利用者群に含まれる各利用者に提供する。
【００８１】
これにより、実施形態に係る情報提供装置１０は、他の利用者の決済を代行した利用者が、現金の集金や、電子決済サービス上での他の利用者に対する送金要求の送信、ネットワーク上での送金の呼びかけなどといった能動的な行動を行うことなく、他の利用者からの送金を受けることができるため、送金処理における利用者の利便性を向上させることができる。
【００８２】
また、実施形態に係る情報提供装置１０において、例えば、特定部４３は、決済が行われた際に決済を行った利用者の位置から所定の範囲内に所在する利用者群を特定する。また、特定部４３は、位置情報の履歴に基づいて、決済が行われた時点より前の所定の期間において決済を行った利用者との位置関係が所定の条件を満たす利用者群を特定する。また、特定部４３は、所定の期間において決済を行った利用者の位置から所定の範囲内に所定時間以上所在した利用者群を特定する。また、提供部４４は、金額の一部に該当する額の送金に関する送金情報を利用者群に含まれる各利用者に提供する。また、検知部４２は、決済対象に応じた閾値以上の金額の送金に関する決済を検知する。また、検知部４２は、決済対象に応じた時間帯において行われる決済を検知する。
【００８３】
これにより、実施形態に係る情報提供装置１０は、各種の状況において、他の利用者の決済を代行した利用者が能動的な行動を行うことなく、他の利用者からの送金を受けることができるため、送金処理における利用者の利便性を向上させることができる。
【００８４】
また、実施形態に係る情報提供装置１０において、例えば、取得部４１は、さらに、所定の対象の予約に関する予約情報を取得する。そして、特定部４３は、位置情報の履歴に基づいて、予約を行った利用者と、予約情報が示す予約時間より後の所定の期間において当該利用者との位置関係が所定の条件を満たす利用者とを含む利用者群を特定する。また、特定部４３は、予約を行った利用者と、所定の期間において当該利用者の位置から所定の範囲内に所定時間以上所在した利用者とを含む利用者群を特定する。また、特定部４３は、予約を行った利用者と、所定の期間が経過した際に当該利用者の位置から所定の範囲内に所在する利用者とを含む利用者群を特定する。また、提供部４４は、所定の期間が経過したタイミングで利用者群に含まれる各利用者に対し送金情報を提供する。また、特定部４３は、位置情報の履歴に基づいて、所定の施設内において所定の範囲内に所定時間以上所在した利用者群を特定する。また、提供部４４は、利用者群が施設を訪問した時点から所定の期間が経過したタイミングで利用者群に含まれる各利用者に対し送金情報を提供する。また、取得部４１は、さらに、所定の施設で使用される端末装置に対する操作に関する操作情報を取得する。そして、特定部４３は、操作情報に対応する施設内の位置に所在する利用者群を特定する。
【００８５】
これにより、実施形態に係る情報提供装置１０は、予約対象や訪問した施設などに対する料金の支払いを行う前に各利用者に送金に関する情報を提供できるため、送金処理における利用者の利便性を向上させることができる。
【００８６】
また、実施形態に係る情報提供装置１０において、例えば、提供部４４は、利用者群に所定の役務を提供する提供元に対する送金に関する送金情報を提供する。また、提供部４４は、利用者群に含まれる利用者であって、利用者群に所定の役務を提供する提供元に対する支払いを代行する利用者に対する送金に関する送金情報を提供する。また、提供部４４は、利用者群に含まれる各利用者の属性に応じた額の送金に関する送金情報を提供する。
【００８７】
これにより、実施形態に係る情報提供装置１０は、利用者の支払いの形態に応じた送金に関する情報を提供できるため、送金処理における利用者の利便性を向上させることができる。
【００８８】
〔６．ハードウェア構成〕
また、上述してきた各実施形態に係る情報提供装置１０は、例えば、図６に示すような構成のコンピュータ１０００によって実現される。以下、情報提供装置１０を例に挙げて説明する。図６は、情報提供装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【００８９】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【００９０】
ＨＤＤ１４００は、ＣＰＵ１１００によって実行されるプログラム、及び、かかるプログラムによって使用されるデータ等を記憶する。通信インターフェイス１５００は、通信網５００（実施形態のネットワークＮに対応する）を介して他の機器からデータを受信してＣＰＵ１１００へ送り、また、通信網５００を介してＣＰＵ１１００が生成したデータを他の機器へ送信する。
【００９１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【００９２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【００９３】
例えば、コンピュータ１０００が情報提供装置１０として機能する場合、コンピュータ１０００のＣＰＵ１１００は、ＲＡＭ１２００上にロードされたプログラムを実行することにより、制御部４０の機能を実現する。また、ＨＤＤ１４００には、情報提供装置１０の記憶装置内の各データが格納される。コンピュータ１０００のＣＰＵ１１００は、これらのプログラムを記録媒体１８００から読み取って実行するが、他の例として、他の装置から所定の通信網を介してこれらのプログラムを取得してもよい。
【００９４】
〔７．その他〕
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【００９５】
また、上述した情報提供装置１０は、機能によっては外部のプラットフォーム等をＡＰＩ（Application  Programming  Interface）やネットワークコンピューティングなどで呼び出して実現するなど、構成は柔軟に変更できる。
【００９６】
また、特許請求の範囲に記載した「部」は、「手段」や「回路」などに読み替えることができる。例えば、取得部は、取得手段や取得回路に読み替えることができる。
【符号の説明】
【００９７】
１０      情報提供装置
２０      通信部
３０      記憶部
３１      利用者データベース
３２      店舗データベース
４０      制御部
４１      取得部
４２      検知部
４３      特定部
４４      提供部
１００    端末装置
２００    決済サーバ
【要約】
【課題】送金処理における利用者の利便性を向上させる。
【解決手段】本願に係る提供装置は、利用者の位置を示す位置情報を取得する取得部と、取得部により取得された位置情報に基づいて、位置関係が所定の条件を満たす利用者群（例えば、所定の範囲内に所定の時間以上所在した利用者群）を特定する特定部と、特定部により特定された利用者群に含まれる各利用者に対し、所定の送金額の一部に該当する額の送金に関する送金情報を提供する提供部とを有することを特徴とする。
【選択図】図１【図１】
0006754884.tif 000002
【図２】
0006754884.tif 000003
【図３】
0006754884.tif 000004
【図４】
0006754884.tif 000005
【図５】
0006754884.tif 000006
【図６】
0006754884.tif 000007